(57)【要約】【課題】通水流路にはメッキ処理を行わないシャワヘッドを提供すること。【解決手段】上方開口１２および下方開口１３を有するカバー体１４と、水栓本体４からの供給流路ｉに連通する入口部１５および下向きの吐水口部１６を有し、前記カバー体１４内に着脱自在に装着され、前記入口部１５および吐水口部１６間に通水流路ｊを形成する吐水口本体１７とを備え、前記カバー体１４だけにメッキ処理が施されてなる。【選択図】　　　　　図３
2004073958.tif 000002
【特許請求の範囲】
【請求項１】
上方開口および下方開口を有するカバー体と、水栓本体からの供給流路に連通する入口部および下向きの吐水口部を有し、前記カバー体内に着脱自在に装着され、前記入口部および吐水口部間に通水流路を形成する吐水口本体とを備え、前記カバー体だけにメッキ処理が施されてなることを特徴とするシャワヘッド。
【請求項２】
散水と直放水の二つの吐水状態に切替える切替手段を有する請求項１に記載のシャワヘッド。
【請求項３】
洗髪用に用いられる請求項１または請求項２に記載のシャワヘッド。
【発明の詳細な説明】
【０００１】
【発明の属する技術分野】
この発明は、シャワヘッドに関する。
【０００２】
【従来の技術および発明が解決しようとする課題】
例えば洗髪シャワに用いるシャワヘッドの吐水口本体に設けた切替手段を操作することにより、吐水口本体の中央部に形成された通水流路を通って直放水の状態で吐水したり、吐水口本体の中央部のまわりに形成された通水流路を通って散水（シャワ）の状態で吐水するが、外観を見栄え良くする等のため吐水口本体等にメッキ処理を施す場合、吐水口本体の内面もメッキ液に浸漬されるので、前記通水流路にＮｉ等が溶出し易いという問題が生じる。この対策として吐水口本体の内面にマスキングが施されるが、不良率が高かったり、コスト高となる問題点があった。
【０００３】
この発明はこのような実情を考慮に入れてなされたものであって、通水流路にはメッキ処理を行わないシャワヘッドを提供することを目的としている。
【０００４】
【課題を解決するための手段】
すなわち、この発明のシャワヘッドは、上方開口および下方開口を有するカバー体と、水栓本体からの供給流路に連通する入口部および下向きの吐水口部を有し、前記カバー体内に着脱自在に装着され、前記入口部および吐水口部間に通水流路を形成する吐水口本体とを備え、前記カバー体だけにメッキ処理が施されてなる。
【０００５】
【発明の実施の形態】
図１〜図１１は、洗面台に設置される洗髪シャワに用いられるこの発明の一実施形態を示す。
【０００６】
まず、図１〜図３において、１は、洗髪シャワを備えた湯水混合水栓で、洗面台の取付面部２に形成してある一つの貫通穴２ａに挿入された取付足２ｂを固定した状態で取付面部２上に設置されている。前記水栓１は、給湯管Ｈおよび給水管から流入する湯および水を適宜混合して湯水混合水をフレキシブルホースである供給管３に供給する湯水混合水栓本体４と、前記水栓本体４から供給される湯水混合水や水を直放水の状態あるいは散水の状態に切替えて吐水する樹脂製のシャワヘッド５と、このシャワヘッド５と供給管３とを接続し、使用時には前記水栓本体４の筒状ホルダ６から引き出される可撓管７とを有している。この可撓管７は、螺旋形状を持つステンレス鋼帯７ａの内面に樹脂製部材７ｂを固着してなるラセンホースで、前記水栓本体４からの供給流路ｉを形成する。
【０００７】
８は、ポップアップ棒、９は、前記水栓本体４の胴４ａの内部に設けた弁機構で、セラミック製の固定ディスク９ａとこの固定ディスク９ａの上面に摺動可能に載置されるセラミック製の可動ディスク９ｂを備えている。１０は、可動ディスク９ｂに連動連結された操作部材で、この操作部材１０の操作によって、止水状態と吐水状態の切替操作と湯水混合水の温度調整ならびに湯水混合水や水の流量調整が行われる。前記胴４ａは、金属製で、楕円体の長軸方向に於ける両端を切り取ってなる外観形状を有する。また、前記ホルダ６は金属製で、胴４ａに形成された湯水混合水や水の供給穴４ｂに、係止ピン６ａ等の係止手段によってシール可能に設けられている。
【０００８】
以下、この発明の特徴的構成について説明する。
【０００９】
図１〜図１１において、シャワヘッド５は、上方開口１２および下方開口１３を有する樹脂製のカバー体１４と、水栓本体４からの供給流路ｉに連通する入口部１５およびこの入口部１５の下流側に連設される下向きの吐水口部１６を有する樹脂製の吐水口本体１７と、散水と直放水の二つの吐水状態に切替えるために設けられた樹脂製の複数の部材からなる切替手段とを有する。この実施形態では、吐水口本体１７は、下方開口１３を介してカバー体１４内に着脱自在に装着され、入口部１５および吐水口部１６間に通水流路ｊを形成する。また、前記入口部１５は、内周面に内ねじ１５ｂを有する。
【００１０】
更に、カバー体１４は縦断面略釣鐘状で、メッキ液に浸漬することで外面および内面を含む全面にメッキ処理が施されている。
【００１１】
カバー体１４は、円周上に配列された四つの係合突起１８を下部内面に有する一方、吐水口本体１７は、各係合突起１８に係合する係合溝１９を吐水口部１６の外周面に有する。
【００１２】
また、シャワヘッド５は、可撓管７の下流端７ｃを連結した状態で前記上方開口１２に挿通され、カバー体１４内に取り付けられている吐水口本体１７に接続される樹脂製のシャワ受け２０を有する。シャワ受け２０は、筒状で、前記内ねじ１５ｂに螺合する小径の外ねじ部２１を下流側に有するとともに、上流側に前記入口部１５の環状の端面１５ａに当接する環状の当接面２２ａが形成された大径部２２を有し、メッキ液に浸漬することで外面および内面を含む全面にメッキ処理が施されている。更に、外ねじ部２１は、可撓管７の下流端７ｃが挿入された状態で固定されている可撓管固定用のアダプタ２３を、Ｕパッキン２４を介して内周面に有する。また、大径部２２は、内周面にセレーション２５を有する。
【００１３】
２６は、前記セレーション２５に噛合するセレーション２５を外周面に有し、リング体２７を介してホルダ６に嵌込まれた筒状の樹脂製噛合部材で、メッキ液に浸漬することで外面および内面を含む全面にメッキ処理が施されている。
【００１４】
前記切替手段は、回動操作により散水と直放水の二つの吐水状態に切替える樹脂製の切替ハンドル３６と、通水流路ｊに連通する二つの連通孔３２を有し、Ｏリング３４を介して吐水口本体１７の吐水口部１６の最上流側に固定設置された平面視円形の樹脂製の弁座部材３３と、前記二つの連通孔３２に整合可能な直放水用の孔３７を中央部に有し、この中央部のまわりに散水用の多数のシャワ孔４１を有し、切替ハンドル３６の回動操作に連動して回動する樹脂製の弁体４０と、弁体４０の前記孔３７の直下流に設けられ、メッシュの周囲を樹脂材で縁取りした複数枚の整流板４３とで構成される。
【００１５】
更に、前記弁体４０の上流側の面ｍには、二つの直放水用の孔３７を形成するための突出部分４０ａが弁座部材３３の下流面３３ａに摺動する形で一体に形成されているとともに、この突出部分４０ａの周囲を覆うシール用のパッキン４４を有する。そして、切替ハンドル３６によって弁体４０を図１１に示すように回動操作して前記孔３７を連通孔３２に整合させることにより直放水の状態となる一方、図３、図１０に示すように、弁体４０を回動操作すると、弁座部材３３の下流面３３ａによって前記孔３７がシール可能に閉塞されるとともに、連通孔３２がシャワ孔４１に連通して散水の状態にできる。
【００１６】
而して、外から見えるカバー体１４にメッキ処理を施し、通水流路ｊを構成する吐水口本体１７および前記切替手段にはメッキ処理を施さないようシャワヘッド５を構成したので、従来のように通水流路にＮｉ等が溶出し易いという問題を解決できる。
【００１７】
なお、上方開口１２を介してシャワ受け２０を吐水口本体１７に接続する構成としたので、カバー体１４およびシャワ受け２０間に形成される相貫線Ｌを明瞭にでき、外観が見栄えする。
【００１８】
図１２は、筒状ホルダ６を略Ｌ字型に湾曲させて構成するとともに、胴部４ａを横置き状態にして湯水混合水や水の供給穴４ｂを上に向け、この供給穴４ｂに筒状ホルダ６を接続してなる湯水混合水栓１’に設けたこの発明の他の実施形態を示す。
【００１９】
【発明の効果】
以上詳述したようにこの発明では、通水流路にはメッキ処理を施さないので、Ｎｉ等が溶出することがない通水流路を有するシャワヘッドを提供できる効果がある。
【図面の簡単な説明】
【図１】この発明の一実施形態における使用状態を示す構成説明図である。
【図２】上記実施形態における使用状態を示す構成説明図である。
【図３】上記実施形態における要部構成説明図である。
【図４】上記実施形態における要部を分解した構成説明図である。
【図５】（Ａ）は、上記実施形態で用いたカバー体を示す縦断面図である。
（Ｂ）は、上記実施形態で用いたカバー体を示す底面図である。
（Ｃ）は、上記実施形態で用いたカバー体を示す正面図である。
【図６】（Ａ）は、上記実施形態で用いた吐水口本体ケースを示す平面図である。
（Ｂ）は、上記実施形態で用いた吐水口本体ケースを示す縦断面図である。
（Ｃ）は、上記実施形態で用いた吐水口本体ケースを示す底面図である。
（Ｄ）は、上記実施形態で用いた吐水口本体ケースを示す正面図である。
【図７】（Ａ）は、上記実施形態で用いた弁体を示す平面図である。
（Ｂ）は、上記実施形態で用いた弁体を示す底面図である。
【図８】（Ａ）は、上記実施形態で用いたシャワ受けを示す縦断面図である。
（Ｂ）は、上記実施形態で用いたシャワ受けを示す背面図である。
【図９】（Ａ）は、上記実施形態で用いた弁座部材を示す平面図である。
（Ｂ）は、上記実施形態で用いた弁座部材を示す底面図である。
【図１０】上記実施形態における散水の吐水状態を説明するための図である。
【図１１】上記実施形態における直放水の吐水状態を説明するための図である。
【図１２】異なるタイプの水栓に適用した構成説明図である。
【符号の説明】
４…水栓本体、５…カバー体、１２…上方開口、１３…下方開口、１４…カバー体、１５…入口部、１６…吐水口部、１７…吐水口本体、ｉ…供給流路、ｊ…通水流路。
【図１】
2004073958.tif 000003
【図２】
2004073958.tif 000004
【図３】
2004073958.tif 000005
【図４】
2004073958.tif 000006
【図５】
2004073958.tif 000007
【図６】
2004073958.tif 000008
【図７】
2004073958.tif 000009
【図８】
2004073958.tif 000010
【図９】
2004073958.tif 000011
【図１０】
2004073958.tif 000012
【図１１】
2004073958.tif 000013
【図１２】
2004073958.tif 000014